(57)【特許請求の範囲】
【請求項１】
凸形または凹形に湾曲した車輪のリム(３)(５)またはリムフランジ(４)に当接する凹形または凸形に湾曲した当接面(２)を有し、かつ把持手段(６)が 一体化されているか、または保持スプリングが付設されている本体(７)をもつ車輪用バランスウェート(１)において、前記当接面(２)は、湾曲部(12) を挟んで連続して配置された、少なくとも３つの分割当接面(11a)(11b)(11c)(11d)(11e)からなり、該分割当接面(11a)(11b)(11c)(11d)(11e)は、少なくとも２つの曲率半径(Ｒ１)(Ｒ２)(Ｒ３)(Ｒ４)(Ｒ５)を有し、かつそのうち中央の分割当接面(11c)は、前記曲率半径(Ｒ１)(Ｒ２)(Ｒ３)(Ｒ４)(Ｒ５)のうちで最も大きい曲率半径(Ｒ３)を有することを特徴とする車輪用バランスウェート。
【請求項２】
前記本体(７)は、亜鉛、スチール、銅、黄銅、タングステン、金、銀、もしくはこれらの金属の１種もしくは複数種を含む合金、またはガラスを含む、鉛よりも硬質の他の材料、もしくは合金から形成されていることを特徴とする請求項１記載の車輪用バランスウェート。
【請求項３】
前記分割当接面(11a)(11b)(11c)(11d)(11e)の少なくとも１つは、一定の曲率を有することを特徴とする請求項１または２記載の車輪用バランスウェート。
【請求項４】
前記分割当接面(11a)(11b)(11c)(11d)(11e)のうち少なくとも１つの曲率半径は、無限大であることを特徴とする請求項１〜３のいずれか１項に記載の車輪用バランスウェート。
【請求項５】
前記当接面(２)のうち、分割当接面(11a)(11b)(11c)(11d)(11e)を除く部分は、無限大よりも小さい曲率半径を有することを特徴とする請求項１〜３のいずれか１項に記載の車輪用バランスウェート。
【請求項６】
前記分割当接面(11a)(11b)(11c)(11d)(11e)のうち、当接面(２)の端部領域(８)を形成する、外側の２つの分割当接面(11a) (11e)の曲率半径(Ｒ１)(Ｒ５)は、前記曲率半径(Ｒ１)(Ｒ２)(Ｒ３)(Ｒ４)(Ｒ５)のうちで最も小さいことを特徴とする請求項１〜５のいずれか１項に記載の車輪用バランスウェート。
【請求項７】
前記分割当接面(11a)(11b)(11c)(11d)(11e)の曲率半径として、前記曲率半径(Ｒ１)(Ｒ２)(Ｒ３)(Ｒ４)(Ｒ５)のうち、少 なくとも３つが用いられ、当接面(２)の中央の分割当接面(11c)の曲率半径(Ｒ３)が最大で、両端部の分割当接面(11a)(11e)の曲率半径 (Ｒ１)(Ｒ５)が最小であることを特徴とする請求項６記載の車輪用バランスウェート。
【請求項８】
前記分割当接面(11a)(11b)(11c)(11d)(11e)の曲率半径(Ｒ１)(Ｒ２)(Ｒ３)(Ｒ４)(Ｒ５)は、互いにすべてが異なるか、または少なくとも３つが互いに異なり、当接面(２)の中央の分割当接面(11c)と、両端部の分割当接面(11a)(11e)との間に位置する分割当接面 (11b)(11d)は、最大の曲率半径(Ｒ３)よりも小さく、かつ最小の曲率半径(Ｒ１)(Ｒ５)よりも大きい曲率半径(Ｒ２)(Ｒ４)を有することを特徴とする請求項７記載の車輪用バランスウェート。
【請求項９】
前記分割当接面(11a)(11b)(11c)(11d)(11e)の曲率半径として、互いに異なる少なくとも３つの曲率半径(Ｒ１)(Ｒ２)(Ｒ３)(Ｒ４)(Ｒ５)が用いられていることを特徴とする請求項１〜８のいずれか１項に記載の車輪用バランスウェート。
【請求項１０】
前記各分割当接面(11a)(11b)(11c)(11d)(11e)の曲率半径は、無限大であり、当接面全体として、角張った外観を呈することを特徴とする請求項１記載の車輪用バランスウェート。
【請求項１１】
前記分割当接面(11a)(11b)(11c)(11d)(11e)のそれぞれの延長線と、隣合う分割当接面とが、角度(α)(β)(γ)(δ)をなすことを特徴とする請求項１０記載の車輪用バランスウェート。
【請求項１２】
前記角度(α)(β)(γ)(δ)は、バランスウェートの中央領域(９)から遠ざかるにつれて増大し、両端部領域(８)における分割当接面(11a)(11e)において最大となっていることを特徴とする請求項１０または１１記載の車輪用バランスウェート。
【請求項１３】
前記各分割当接面(11a)(11b)(11c)(11d)(11e)は、一定の曲率をもたず、放物線、双曲線、または楕円を描くようになっていることを特徴とする請求項１記載の車輪用バランスウェート。
【請求項１４】
前記分割当接面(11a)および(11e)、ならびに分割当接面(11b)および(11d)は、それぞれ互いに対をなして、対称な直線を描くようになっていることを特徴とする請求項１〜１３のいずれか１項に記載の車輪用バランスウェート。
【請求項１５】
前記クランプ手段(６)は、ばね鋼から鋳造されたものであることを特徴とする請求項１〜１４のいずれか１項に記載の車輪用バランスウェート。
【請求項１６】
前記複数の湾曲部(12)は、それぞれ異なる間隔を開けて配置されていることを特徴とする請求項１〜１５のいずれか１項に記載の車輪用バランスウェート。
【請求項１７】
凸形または凹形に湾曲した車輪のリム(３)(５)またはリムフランジ(４)に当接する凹形または凸形に湾曲した当接面(２)を有する本体(７)をもつ車輪用バランスウェート(１)において、前記当接面(２)を、湾曲部(12)によって区画され、かつそれぞれ異なる曲率半径(Ｒ１)(Ｒ２)(Ｒ３)(Ｒ４)(Ｒ５)を有する少なくとも３つの分割当接面(11a)(11b)(11c)(11d)(11e)からなり、該分割当接面(11a)(11b)(11c)(11d)(11e)は、少なくとも２つの曲率半径(Ｒ１)(Ｒ２)(Ｒ３)(Ｒ４)(Ｒ５)を有し、かつそのうち中央の分割当接面(11c)は、前記曲率半径(Ｒ１)(Ｒ２)(Ｒ３)(Ｒ４)(Ｒ５)のうちで最も大きい曲率半径(Ｒ３)を有することを特徴とする車輪用バランスウェートの製造方法。
【請求項１８】
前記曲率半径(Ｒ１)(Ｒ２)(Ｒ３)(Ｒ４)(Ｒ５)を含む曲率半径(Ｒ１)(Ｒ２)・・・(Ｒｎ)は、それぞれ一定の値を有し、ならびにａ）第１番目の曲率半径(Ｒ１)は、最も左側または右側の分割当接面の曲率半径であり、かつ第ｎ番目の曲率 半径(Ｒｎ)は、最も右側または左側の分割当接面の曲率半径であり、ｂ）曲率半径(Ｒ１)と曲率半径(Ｒｎ)は、曲率半径の基準値の最小値(ｕ)よりも大 きく、かつ曲率半径の基準値の最大値(ｏ)よりも小さい値を有し、およびｃ）ｎは４以上の偶数であり、
ｕ＜Ｒ１＜ｏ
Ｒ２＞Ｒ１
Ｒ３≧Ｒ２
Ｒ４≧Ｒ３
Ｒ５≧Ｒ４
・・・
Ｒ(ｎ／２)≧Ｒ(ｎ／２−１)
Ｒ(ｎ／２＋１)≦Ｒ(ｎ／２)
Ｒ(ｎ／２＋２)≦Ｒ(ｎ／２＋１)
・・・
Ｒ(ｎ−１)≦Ｒ(ｎ−２)
Ｒ(ｎ)≦Ｒ(ｎ−１)
ｕ＜Ｒｎ＜ｏであるか、またはｎは３以上の奇数であり、
ｕ＜Ｒ１＜ｏ
Ｒ２＞Ｒ１
Ｒ３≧Ｒ２
Ｒ４≧Ｒ３
Ｒ５≧Ｒ４
・・・
Ｒ((ｎ＋１)／２)≧Ｒ((ｎ＋１)／２−１)
Ｒ((ｎ＋１)／２＋１)≦Ｒ((ｎ＋１)／２)
Ｒ((ｎ＋１)／２＋２)≦Ｒ((ｎ＋１)／２＋１)
・・・
Ｒ(ｎ−１)≦Ｒ(ｎ−２)
Ｒ(ｎ)≦Ｒ(ｎ−１)
ｕ＜Ｒｎ＜ｏのいずれかであることを特徴とする請求項１７記載の車輪用バランスウェートの製造方法。
【請求項１９】
前記曲率半径の基準値の最小値(ｕ)は１２０mmであり、前記曲率半径の基準値の最大値(ｏ)は６００mmであることを特徴とする請求項１８記載の車輪用バランスウェートの製造方法。
【請求項２０】
前記曲率半径(Ｒ１)(Ｒ２)(Ｒ３)(Ｒ４)(Ｒ５)のうち、中央の分割当接面の曲率半径(Ｒ３)を含む少なくとも１つは、無限大であることを特徴とする請求項１７〜１９のいずれか１項に記載の車輪用バランスウェートの製造方法。
【請求項２１】
前記分割当接面(11a)(11b)(11c)(11d)(11e)のうち、中央の分割当接面(11c)を含む少なくとも１つは、円弧状または直線状であり、長さが４０〜６０mmであることを特徴とする請求項１７〜２０のいずれか１項に記載の車輪用バランスウェートの製造方法。
【発明の詳細な説明】
【技術分野】
【０００１】
本発明は、自動車の車輪用リムの凸面または凹面部分、特にリムフランジに当接する、凹面または凸面を有する本体をもつバランスウェートに関する。また、本発明は、このバランスウェートの製造方法にも関する。
【背景技術】
【０００２】
車輪のリムに取付ける鉛製のバランスウェートは、すでに公知となっている。リムは、ローラ部分を別として、種々の材料（アルミニウムやスチール製等）から形成され、かつ自動車メーカーによって設計が異なり、直径も様々なもの（３３〜５５cm（１３〜２２インチ））があるが、鉛は軟質、かつ比較的軽量で、塑性変形が可能であるため、リム（特にリムフランジ）の直径に合わせて、形状を調整することができる。
【０００３】
このため、バランスウェートの製造業者は、このような鉛製バランスウェートの大きさを決めるときには、中間的な値をもつリムの直径を想定する。鉛製のバランスウェートならば、中間的な値から外れた直径を有するリムであっても、形状を調整して取り付けることができる。
【０００４】
しかし、今日では、環境保全等の理由により、バランスウェートの材料として、鉛に替わるものが求められている。
【０００５】
バランスウェートの代替材料として、スチールや亜鉛も考えられる（例えば特許文献１参照）。しかし、スチールや亜鉛は、鉛よりも硬質であるため、種々の直径を有するリムに合わせて変形させることはできない。
【０００６】
この問題に対処するため、最大限可能な長さまたは重量を有するバランスウェートを製造することが考えられる。バランスウェートの最大限可能な長さは６０〜７０mmである。他方、バランスウェートの最大限可能な重量は、約４０ｇであるが、長さが６０〜７０mmのバランスウェートであれば、最大限可能な重量の範囲内に収まり、あらゆる車輪用リムに、支障なく取り付けることができる。
【０００７】
しかし、実際には、４０ｇを超えるバランスウェートが必要になることもある（今日では、バランスウェート全体の重量として、６０ｇが標準となりつつある）。このような場合には、２つ以上のバランスウェートを取り付けなければならないため、取付けに時間がかかるとともに、バランスウェートに費やされる費用も大きくなる。
【０００８】
この問題に対処する方策の１つは、商取引される様々な直径を有するリムに対応して、特別仕様でバランスウェートを裁断することであるが、在庫管理が複雑になり、かつ裁断工程を含む製造費用が大きくなるという短所がある。
【０００９】
結局、上記の問題に対処するには、種々のリムに嵌め込むことができ、かつリムの一部（リムの内側面）と密接するように、当接面の曲率半径ができる限り小さいバランスウェートを製造するしかない。
【００１０】
このようなバランスウェートは、今日一般に使用されているリムに用いることができると考えられる。しかし、リムの直径が大きい場合は、バランスウェートの端部がリムから離間し、狭い面積でしか当接しないために、車輪の重心がずれるおそれがある。
【特許文献１】ドイツ国特許公開第10102321号明細書
【発明の開示】
【発明が解決しようとする課題】
【００１１】
本発明は、上記事情に鑑みてなされたものであり、種々の直径をもつ車輪用リムに取り付ける場合に、塑性変形をさせる必要のないバランスウェート、すなわち、ユニバーサルバランスウェートを提供することを目的としている。
【００１２】
本発明は、上記の目的を達成するため、請求項１に記載したバランスウェートと、請求項１９に記載したその製造方法を提供する。本発明の好ましい態様は、請求項１と１９を引用する各請求項に記載してある。
【課題を解決するための手段】
【００１３】
本発明に係るバランスウェートにおいては、少なくとも１つ、好ましくはすべての分割当接面の曲率を一定にすれば、すなわち分割当接面を円弧状にすれば、製造が容易になる。
【００１４】
本発明の好ましい態様においては、少なくとも２つの曲率半径を採用する。当接面は、例えば３つの分割当接面から構成することができる。この場合、中央の分割当接面の曲率半径を最大とし、両端部の各分割当接面の曲率半径を、これよりも小さく、かつ互いに同一の値とする。これにより、両端部の２つの分割当接面は、バランスウェート本体の中心軸に関して、互いに対称となる。
【００１５】
本発明の一態様においては、複数の分割当接面の１つ、複数、またはすべての曲率半径を無限大にする（すなわち、分割当接面を平面にする）。この場合には、とりわけ、直径の大きいリムにも十分に当接しうるように、中央の分割当接面を平面とするのが好ましい。
【００１６】
反対に、直径が小さいリムに対しては、バランスウェート本体の両端部領域における分割当接面の曲率半径は、リムの内側面によく密接するよう、小さい方が好ましい。この場合、中央領域においては、バランスウェートの当接面と、これに対向するリムの内側面との間に、若干のクリアランスが生じることもあるが、このようなクリアランスは、リムとバランスウェートとを、保持スプリングを介して締め付けることによって、過負荷を与えることなく、解消することができる。
【００１７】
当接面を複数の分割当接面から構成し、端部領域の分割当接面から中央領域の分割当接面にかけて、曲率半径を漸次増大させると、取付けや保持に支障を生ずることなく、概ねすべての直径のリムに適用しうるユニバーサルバランスウェートを得ることができる。
【００１８】
本発明においては、分割当接面の形状は、円形または直線形状（すなわち、曲率または曲率半径が一定の形状）に限定されるものではない。放物線、双曲線、または楕円のように、曲率が一定でない分割当接面とすることも可能である。
【００１９】
各分割当接面の曲率半径は、最小の基準値よりも大きく、かつ最大の基準値よりも小さい、いくつかの値をとるのが好ましい。この場合、各分割当接面の曲率半径の比は、次のケースＡとケースＢにおいて示す条件に従うのが好ましい。以下において、ｎは、分割当接面の個数である。また、Ｒ１は、最も左側（または右側）の分割当接面の曲率半径であり、Ｒｎは、最も右側（または左側）の分割当接面の曲率半径である。
【００２０】
ケースＡ：ｎは４以上の偶数（ｎ＝４，６，８，…）であり、
１３０mm＜Ｒ１＜３３０mm
Ｒ２＞Ｒ１
Ｒ３≧Ｒ２
Ｒ４≧Ｒ３
Ｒ５≧Ｒ４
…
Ｒ(ｎ／２)≧Ｒ(ｎ／２−１)
Ｒ(ｎ／２＋１)≦Ｒ(ｎ／２)
Ｒ(ｎ／２＋２)≦Ｒ(ｎ／２＋１)
…
Ｒ(ｎ−１)≦Ｒ(ｎ−２)
Ｒ(ｎ)≦Ｒ(ｎ−１)
１３０mm＜Ｒｎ＜３３０mm。
【００２１】
ケースＢ：ｎは３以上の奇数（ｎ＝３，５，７，…）であり、
１３０mm＜Ｒ１＜３３０mm
Ｒ２＞Ｒ１
Ｒ３≧Ｒ２
Ｒ４≧Ｒ３
Ｒ５≧Ｒ４
…
Ｒ((ｎ＋１)／２)≧Ｒ((ｎ＋１)／２−１)
Ｒ((ｎ＋１)／２＋１)≦Ｒ((ｎ＋１)／２)
Ｒ((ｎ＋１)／２＋２)≦Ｒ((ｎ＋１)／２＋１)
…
Ｒ(ｎ−１)≦Ｒ(ｎ−２)
Ｒ(ｎ)≦Ｒ(ｎ−１)
１３０mm＜Ｒｎ＜３３０mm。
【００２２】
本発明のバランスウェートをトラックや他の輸送車両に適用する場合、上記曲率半径Ｒｎの最大の基準値は、６００mmとすることができる。他方、本発明のバランスウェートを小型車両のリムに適用する場合、上記曲率半径Ｒ１の最小の基準値は、１００〜１２０mmとすることができる。
【発明の効果】
【００２３】
本発明によれば、従来のバランスウェートに用いられていた、環境に有害な鉛を、亜鉛、スチール、または特許請求の範囲に掲げた他の材料によって代替することができ、かつ、さほど塑性変形をさせなくても、種々の直径のリムに密接させうるバランスウェートが提供される。
【発明を実施するための最良の形態】
【００２４】
上記以外の本発明の特徴および効果は、以下の添付図面を参照して行う本発明の好ましい実施形態についての説明から、明らかになると思う。
【００２５】
図１と図２は、自動車（乗用車、トラック、バス、オートバイ等）の車輪用リム５のフランジ４における凹形の内側面３（図には一部のみを示す）、およびこの内側面３に固定された凸形の当接面２（後面）を有する耐衝撃バランスウェート１を示す。バランスウェート１の本体７には、固定手段として、高強度スチール製スプリング付きのクランプ６が、融着等により一体化されている。
【００２６】
クランプ６と合わせたバランスウェート１の形状は、製造業者の定めるところによる。市場には、非常に多くの種類のリムが供給されているが、在庫管理や製造原価を考慮に入れた上で、これに適したバランスウェートを製造する必要がある。したがって、バランスウェート１の形状は、広範な種類のリムに取り付けうるものとする。
【００２７】
バランスウェート１は、例えば、リム５に打ち付けることによって、リム５に取り付けることができる。この場合には、バランスウェート１の本体７から突出し、かつ湾曲したクランプ６の端部を、工具を用いて、リムフランジ４に嵌め付ける。
【００２８】
クランプ６をリムフランジ４に嵌め付けた後は、バランスウェート１を、動かないように、リムフランジ４に密接させるのが好ましい。リムフランジ４に作用するのは、バランスウェート１の凸形に湾曲した当接面２（バランスウェート１の後面に相当する）である。したがって、当接面２の輪郭は、この当接面２に対向する凹形に湾曲したリムの内側面３と補形をなすものでなければならない。
【００２９】
また、バランスウェート１は、取付け箇所（バランサを用いて定めた、バランスを補償するための箇所）において、強固に固定され、最適な耐久性が得られるよう、できるだけ広い面積で、リムの内側面３と当接しなければならない。リム５とバランスウェート１の密接は、クランプ６を介して実現される。クランプ６は、融着によってバランスウェート１の本体７に固定され、バランスウェート１を、リム５を取り囲むリムフランジ４に締め付ける。
【００３０】
バランスウェート１の凸形の当接面２は、所定の曲率半径を有し、他方、リム５も、所定の直径を有する。以下、図４ａと図４ｂを参照して、従来のバランスウェートの装着について説明する。
【００３１】
図４ａに示すように、当接面２の曲率半径が比較的長く、リム５の直径が比較的短い（例えば３３cm（１３インチ））場合、バランスウェート１の端部領域８のみが、リム５またはリムフランジ４に当接する。この場合には、クランプ６が、リム５またはリムフランジ４に正しく装着されないおそれがある。
【００３２】
このおそれをなくすため、バランサを用いて、バランスウェートの本体７、とりわけその端部領域８を湾曲させる。バランサと工具を用いて、本体７の中央領域９を軽く押圧すると、バランスウェートの当接面２の曲率半径が、リム５の凹形の内側面３のそれと一致するように増大する。この後、クランプ６を、リム５またはリムフランジ４に嵌め付ける。クランプ６の本体部分を鉛製とした場合には、この部分は軟質であるため、リム５または本体７を損傷することはない。
【００３３】
反対に、図４ｂに示すように、直径が比較的大きい（４６〜５５cm（１８〜２２インチ））リムの場合には、曲率半径の小さい当接面２をもつバランスウェート１を軽く装着する。しかし、バランスウェート１の端部領域８は、リム５から離間しており、両者の間に、クリアランス１０（図４ａにおいて、中央領域９におけるクリアランス１０に対応するもの）が生じる。図４ｂにおいては、バランスウェート１の当接面２は、中央領域９においてのみ、リム５と当接しているため、滑りを防止するためのリム５に対する把持力が減少している。
【００３４】
また、端部領域８がリム５から離間しているため、バランスウェート１は、自動洗車装置を用いて洗車する場合、この離間した箇所に入り込んだ洗車ブラシによって、位置がずれることがある。この欠点を解消するため、バランスウェートの本体７が、鉛製である場合には、取付け工具を用いて、端部領域８をリムの内側面３に軽く打ち付ける。この際、鉛は軟質であるため、リム５やバランスウェート１が損傷を受けることはない。
【００３５】
しかし、上述のように端部領域８をリム５に打ち付けるのは、バランスウェートが、「硬質」の材料、とりわけ、鉛に替わる材料として、バランスウェートの本体に用いられるようになっている亜鉛や鉄からなる場合には、好ましくない。
【００３６】
このため、本発明においては、図３に示すように、当接面２が、複数、ここでは５つの分割当接面11a,11b,11b,11d,11eからなる、あらゆる直径のリムに装着しうるユニバーサルバランスウェート１が提供される。これらの分割当接面11a,11b,11b,11d,11eは、本体７の軸方向において、緩やかな曲線１２（滑らかな曲線でなくてもよい）を描くように、湾曲しつつ並んでいる。
【００３７】
両端部の分割当接面11a,11eの曲率半径Ｒは、１７０mmという短いものである。一方、中央領域９における分割当接面11cは、直線的（Ｒ＝∞）に延びている。両端部の分割当接面11a,11eと、中央領域９における分割当接面11cとの間に位置する中間部の分割当接面11b,11dの曲率半径は、２２８mmに設定されている。中央領域９から端部領域８にかけて、分割当接面の曲率半径Ｒは、段階的に減少している。
【００３８】
図４ｃに示すように、リム５の直径が比較的短い（例えば３３cm（１３インチ））場合には、バランスウェート１が、比較的長大（重量は４０〜６０ｇ）であれば、両端部領域８が、リムの内側面３に密接する。中央領域９においては、リムの内側面３とバランスウェートの当接面２の間に、比較的小さいクリアランス１０が生ずるにとどまるため、リムフランジに対して過負荷や損傷を加えるおそれなく、クランプ６を装着することができる。本発明においては、隣合う５つの曲率半径Ｒ１，Ｒ２，Ｒ３，Ｒ４，Ｒ５を互いに異ならせることによって、このような効果を発揮させている。
【００３９】
すでに図３を参照して説明したように、バランスウェートの曲率半径は、両端部領域８から中央領域９に向かって段階的に増加している。言い換えれば、本発明に係るバランスウェートの当接面２は、両端部領域８において、中央領域９におけるよりも、強く曲げられている。
【００４０】
図４ｄは、直径が比較的長い（例えば５１cm（２０インチ））リム５と本発明に係るバランスウェート１を示す。リムの内側面３の曲率半径は、バランスウェート１の中央領域９における曲率半径Ｒ３よりも大きい。バランスウェート１の両端部領域８における分割当接面は、強く曲げられているため、これらの分割当接面とリムの内側面３との間には、比較的小さいクリアランス１０が生じている。
【００４１】
バランスウェート１の当接面２は、中央領域９において、曲率が最小である（すなわち、曲率半径Ｒ３は最大の曲率半径である）ため、バランスウェート１は、比較的長い範囲（約５０mm）にわたって、リムの内側面に密接することができる。この結果、バランスウェート１の滑りを防止する適切な把持力が生まれる。
【００４２】
本発明は、互いに曲率の異なる複数の分割当接面を有するバランスウェートに限定されるものではない。
【００４３】
図５に示すバランスウェートの当接面２は、すべて直線的に延びている５つの分割当接面11a,11b,11c,11d,11dからなり、これらの各分割当接面11a,11b,11c,11d,11dの間には、湾曲部１２が存在する。したがって、分割当接面は、全体として、湾曲部１２を介して、なだらかに湾曲している。
【００４４】
中央の分割当接面11cを両側に延長し、これらの延長線と、隣合う中間部の分割当接面11b,11dとがなす角を、それぞれβ，γとする。また、分割当接面11b,11dをそれぞれ端部領域に向けて延長し、これらの延長線と、隣合う分割当接面11a,11eとがなす角を、それぞれα，δとする。このとき、次の関係が成立するのが好ましい。
β＜α、かつγ＜δ
【００４５】
すなわち、図３ならびに図４ｃおよび図４ｄに示す実施形態と同様に、図５に示す実施形態においても、曲率半径Ｒは、中央領域９から端部領域８へ向かうにつれて減少し、曲率は、中央領域９から端部領域８へ向かうにつれて増加している。よって、この実施形態におけるバランスウェートも、あらゆる直径のリムに装着しうるユニバーサルバランスウェートである。
【図面の簡単な説明】
【００４６】
【図１】リムフランジに取り付けられている、本発明の一実施形態に係る耐衝撃バランスウェートの斜視図である。
【図２】図1とは異なる方向から視た、図1に示す耐衝撃バランスウェートの斜視図である。
【図３】図1に示す耐衝撃バランスウェートの正面図である。
【図４ａ】公知のバランスウェートが取り付けられたリムの部分的な平面図である。
【図４ｂ】公知のバランスウェートが取り付けられた、図４ａに示すリムよりも直径が大きいリムの部分的な平面図である。
【図４ｃ】本発明に係るバランスウェートが取り付けられたリムの部分的な平面図である。
【図４ｄ】本発明に係るバランスウェートが取り付けられた、図４ｃに示すリムよりも直径が大きいリムの部分的な平面図である。
【図５】本発明の他の実施形態に係る耐衝撃バランスウェートの平面図である。
【符号の説明】
【００４７】
１  耐衝撃バランスウェート
２  当接面
３  リムの内側面
４  リムフランジ
５  車輪用リム
６  クランプ
７  バランスウェートの本体
８  端部領域
９  中央領域
10  クリアランス
11a,11b,11c,11d,11e  分割当接面
１２  湾曲部
Ｒ,Ｒ１,Ｒ２,Ｒ３,Ｒ４,Ｒ５  曲率半径
【図１】
0004459224.tif 000002
【図２】
0004459224.tif 000003
【図３】
0004459224.tif 000004
【図４ａ】
0004459224.tif 000005
【図４ｂ】
0004459224.tif 000006
【図４ｃ】
0004459224.tif 000007
【図４ｄ】
0004459224.tif 000008
【図５】
0004459224.tif 000009